(57)【要約】      （修正有）【課題】より安全に葺き替え施工ができるように、棟側から軒側へ葺き下がることが可能な金属屋根材と、桟木を用いた施工方法を提供する。【解決手段】横長の金属屋根材の水上側に立ち上がり部（イ）と折り返し部（ロ）、水下側に立ち下がり部（ハ）と折り返し部（ニ）を形成する。既存の屋根上に桟木（ト）を横長に複数配置する。棟側に最初に葺かれる金属屋根材の立ち上がり部（イ）を桟木に釘で固定する。次にこの屋根材の水下側を持ち上げ、軒側に隣接配置した次段の屋根材の上部を嵌め込み、桟木に釘止めすると共に上段屋根材の折り返し部（ロ）に下段屋根材の折り返し部（ニ）を引掛ける。（ハ）（ニ）（ロ）を同時に掴み返して噛み合わせ、釘が外から見えないようにする。この作業を繰り返すことによって棟側から軒側へ屋根材を葺設する。【選択図】    図８
2004316402.tif 000002
【特許請求の範囲】
【請求項１】
１、横長に貼る金属屋根材で（図１のイ、ロ）の断面をした上部を持ち、更に（図１、のハ、ニ）の断面をした下部があるもので任意ではあるが概ね２０〜４０センチの流れの幅と、任意の横の長さを持たせて、一段目上部（図１のイ）面をクギ、ビス等で固定した後、下部の（ハ、ニ）の中へ次段の屋根材の（ロ）をかみ合せ、ひっかけて、次段屋根材の（図１のイ）面を、そこに前もって配され固定されている、さん木の（図７、８、９の参考見取図参照）の下側面にクギ、ビスなどで固定するものであり、その（ハ、ニ、ロ）はつかみ押えします。これのくりかえしで屋根材を上から下へと貼れる様にされた形状とその施工の方法。
２、（図１のハ、ニ、ロ）はつかみ押えした後（図２のハ、ニ）の様に内角９０度位まで拍子木等で軽く叩くと曲げる事ができ、クギ、ビス等で固定した跡を見えなくする事ができます。
３、更に（図２のロ、ニ）の様に、（ロ）は下向きに返し折し（ニ）は上向きに返し折しておくと次段材の（ロ）は上段材の（ニ）と対して重なって収ることができ、（ロ、ニ）を同時にクギ、ビス等で固定しやすく早く、奇麗に施工する事ができます。。
４、更に（図３、５、６）の各（ホ）の様に屋根材の本体（図３、５、６、のチ、オ）の下部に、１８０度未満の折返しを設けその先端部に９０度位の前たれの折曲げ（図３、５、６各々のホ）を設けて（図３、５、６各々のチとヌ）の中へ次段の屋根材の上部の（図３、５、６の各々のロ）をかみ合せひっかけて、合わさり目の外側から（イとホ）を同時にクギ、ビス等で固定する事もできます。
５、更に（図５、６）に示す様に本体（チ、ル、オ）の流れの途中に（図５、６の、リ、ト）の様に一段または二段もしくはそれ以上の段折曲げを設ける事もできます。
６、この材料は本来横一文字葺が理想的なのですが、やむを得ず横長手方向につぎたす時には、（図４）に示す様な木片等のジョイント強化パッキングをつぎめの下におきその上にてつなぎ、且つ、つなぐにあたっては水の侵入をふさぐ様シリコン接着剤を施した後、ジョイント強化パッキングへクギ、ビス、等で固定するとよい。
【発明の詳細な説明】
【０００１】急勾配の葺替え時、軒先から貼り上るのが常であったが、足下が滑りやすく危険であった。
（産業上の利用分野）
【０００２】一般住宅に於る主にリフォーム時の葺替え用屋根材として使用するものです。が、新築にも使用してさしつかえないのであります。
（従来の技術）
【０００３】通常さん木を既存の屋根の上で、軒先から横長に配し、必要な段数を棟まで取りつけてから、屋根材を軒先から一枚ずつ貼りあがっていきます、従って屋根材のうえに乗り上って作業をする時もある訳ですから、急な勾配の屋根の上では大変滑りやすく危険な訳です。
（発明が解決しようとする課題）
【０００４】何とかもっと安全に作業ができないものかと思い、本案は考えられました。
軒先から貼るのをやめて棟から貼り始めて段々と下へ貼って下ればよいのであるが、今迄の材料だとクギ固定位置が材料の下になる為、下から上へとしか貼れないのであります。
（課題を解決する為の手段）
【０００５】材料の形を変えたのです。
まず、横長の金属材料であり、大きさは任意であるが一例をあげると流れの幅４０センチ、横長さ２メートルとします、流れの上部側に（図１のイ、ロ）の様に折曲げて上部の継手とし他方の流れの下部側も（図１のハ、ニ）の様に（チ）に対して内角１４０度前後に仮折して下部継手としますこれは次段の材料の固定に必要な隙間を残しておく為です。（図７）参考見取図の（ヘ）はクギ、ビスで固定した跡です。次に（ハ、ニ）とその中へかみ合わされている（ロ）（図９拡大図参照）を一緒につかみ押えした上で（図２のハ、ニ）の様に９０度位に曲げると段葺ができると同時に強風にも更に強く耐えられる様になります。
又他の方法として（図２、３、５、６）に示す様に流れの下部を最初から９０度位に曲げておく事もできる。が此の方法だとクギ、ビス等で固定した跡が表わしとなるが実用上さしつかえはない。
更に（図５、６）ではより段数を多く見せる様に本体一枚でも段数を増して見せている。これは屋根材料のバタつきを押えてもおります。次にやむを得ず横長手方向につなぐ時にはそのジョイント部の下に（図４）のジョイント強化パッキングを敷設しつなぎ幅も１０センチ位とり重ねにはシリコン接着材を施し、上面からクギ、ビス等で固定すると良い。
（作用）
【０００６】この屋根材を取付るには必ずさん木を先に施工するので、屋根の上には横長にさん木の足がかりがある事になるので滑る危険が少ないのでその分、自由に移動したりより安全に作業ができるようになったし、作業が簡単になり早く施工できるようになった。
（実施例）
【０００７】既存の屋根上で軒先からさん木１５ミリ厚位で幅６０ミリ位のものを横長に配しクギ、ビス等で野たるき等に固定する。
これを棟まで屋根材の有効幅分に固定した後、本案の屋根材の（図１のイ）の部分最頂部のさん木の下側面につきあててクギ、ビス等で固定する。次に各種従来の棟カバーを取付たり、ケラカバー等仮どめ等の他の作業をしつつ、本案屋根材の下部は遊んでいるので、これを持ち上げ次段の屋根材の上部の（図１のロ）を上段屋根材の下端の（図１のハ、ニ）の折返しの中へひっかけると、次段屋根材は上段材に遊着し宙ぶらりんになるが落下はしない。この部材を軽く揺すり押えし、その場に配されているさん木の下側面に（図１のイ）を押しあてクギ、ビス等で固定する。次に（図１のハ、ニ、）と、その中にかみ合っている（ロ）を一緒につかみ押えします、更に、拍子木等で軽く叩き、深く曲げると９０度位になるので（イ）面を固定したクギ、ビス等の跡は見えなくなる。これでこの段は施工済となる。これの繰返しで以って段々と下まで貼って施工できるのである。（発明の効果）
この様に屋根材料の形を変えた事により、さん木を足ががりとして上から貼り始め段々と下りながらより安全に作業する事ができる様になったのである。尚、ケラバ、下り棟等も足かがりの範囲で手順を考慮しながら施工し、下ると良い。
【図面の簡単な説明】
（図１）は本案を代表する屋根材の断面図である。
（図２）は（図１）を、単純化し変化させた屋根材の断面図である。
（図３）は（ホ）に示す水切部を持たせたもので（図１）の断面を変化させたものの断面図である。
（図４）は横につなぐ時の補助材でジョイント強化パッキングの見取図である。（図５、６）は（図３）をより変化させたものの断面図である。
（図７）は（図１）の屋根材の見取図である
（図８）は既存の屋根に（図３）の屋根材を施工したさいの簡略した見取段面図である。一部拡大図付。
（図９）は（図１の下端部ハ、ニ、ロ）の遊着時の部分見取図
【図１】
2004316402.tif 000003
【図２】
2004316402.tif 000004
【図３】
2004316402.tif 000005
【図４】
2004316402.tif 000006
【図５】
2004316402.tif 000007
【図６】
2004316402.tif 000008
【図７】
2004316402.tif 000009
【図８】
2004316402.tif 000010
【図９】
2004316402.tif 000011
【手続補正書】
【提出日】平成15年7月7日(2003.7.7)
【手続補正２】
【補正対象書類名】明細書
【補正対象項目名】特許請求の範囲
【補正方法】変更
【補正の内容】
【特許請求の範囲】
【請求項１】
横長に貼る金属屋根材で（図１のイ、ロ）の断面をした上部を持ち、更に（図１のハ、ニ）の断面をした下部があるもので任意ではあるが概ね２０〜４０センチの流れの幅と、任意の横の長さを持たせて、一段目上部（図１のイ）面をクギ、ビス等で固定した後、下部の（ハ、ニ）の中へ次段の屋根材の（ロ）をかみ合わせ、ひっかけて、次段屋根材の（図１のイ）面を、そこに前もって配され固定されている、さん木の（図７、８、９の参考見取り図参照）の下側面にクギ、ビスなどで固定するものであり、その（ハ、ニ、ロ）はつかみ押えします。これのくりかえしで屋根材を上から下へと貼れる様にされた形状とその施工の方法。
【請求項２】
（図１のハ、ニ、ロ）はつかみ押えした後（図２のハ、ニ）の様に内角９０度位まで拍子木等で軽く叩くと曲げる事ができ、クギ、ビス等で固定した跡を見えなくする事ができます。
【請求項３】
更に（図２のロ、ニ）の様に、（ロ）は下向きに返し折し（ニ）は上向きに返し折しておくと次段材の（ロ）は上段材の（ニ）と対して重なって収ることができ、（ロ、ニ）を同時にクギ、ビス等で固定しやすく早く、奇麗に施工する事ができます。
【請求項４】
更に（図３、５、６）の各（ホ）の様に屋根材の本体（図３、５、６のチ、オ）の下部に、１８０度未満の折返しを設けその先端部に９０度位の前たれの折曲げ（図３、５、６各々のホ）を設けて（図３、５、６各々のチとヌ）の中へ次段の屋根材の上部の（図３、５、６の各々のロ）をかみ合わせひっかけて、合わさり目の外側から（イとホ）を同時にクギ、ビス等で固定する事もできます。
【請求項５】
更に（図５、６）に示す様に本体（チ、ル、オ）の流れの途中に（図５、６のリ、ト）の様に一段または二段もしくはそれ以上の段折曲げを設けることもできます。
【請求項６】
この材料は本来横一文字葺が理想的なのですが、やむを得ず横長手方向につぎたす時には、（図４）に示す様な木片等のジョイント強化パッキングをつぎめの下におきそのうえにてつなぎ、且つ、つなぐにあたっては水の浸入をふさぐ様シリコン接着剤を施した後、ジョイント強化パッキングへクギ、ビス等で固定するとよい。
【手続補正３】
【補正対象書類名】明細書
【補正対象項目名】図面の簡単な説明
【補正方法】変更
【補正の内容】
【図面の簡単な説明】
【図１】は本案を代表する屋根材の断面図である。
【図２】は【図１】を、単純化し変化させた屋根材の断面図である。
【図３】は（ホ）に示す水切り部をもたせたもので【図１】の断面を変化させたものの断面図である。
【図４】は横につなぐときの補助材でジョイント強化パッキングの見取り図である。
【図５】は【図３】をより変化させたものの断面図である。
【図６】は【図３】をより変化させたものの断面図である。
【図７】は【図１】の屋根材の見取り図である。
【図８】は既存の屋根に【図３】の屋根材を施工した際の簡略した見取り断面図である。一部拡大図つき。
【図９】は【図１】の下端部（ハ、ロ，ニ）の遊着時の部分見取り図。
【符合の説明】
イは、上部
ロは、上部の折かえし部
ハは、下部の折かえし部
ニは、下部の折かえし部
ホは、下部の前たれ部
ヘは、上部のイ面をクギ、ビスで固定した跡
トは、段つき部
チは、屋根材の表面
リは、段つき部
ヌは、下部の折かえし部
ルは、屋根材の表面
オは、屋根材の表面